【手続補正書】
【提出日】令和2年10月27日(2020.10.27)
【手続補正１】
【補正対象書類名】特許請求の範囲
【補正対象項目名】全文
【補正方法】変更
【補正の内容】
【特許請求の範囲】
【請求項１】
第１の持続時間および前記第１の持続時間より少ない第２の持続時間の送信時間間隔（ＴＴＩ）をサポートするシステムにおけるワイヤレス通信の方法であって、
前記第２の持続時間のＴＴＩを使用した通信に応答してハイブリッド自動再送要求（ＨＡＲＱ）フィードバックを提供するユーザ機器（ＵＥ）の1つまたは複数の能力に少なくとも部分的に基づいて、ＨＡＲＱタイミングモードを決定することと、
前記ＨＡＲＱタイミングモードを使用して、フィードバック時間期間の間に、前記第２の持続時間のＴＴＩにおけるトランスポートブロック（ＴＢ）に関連付けられた１つまたは複数のＨＡＲＱフィードバックメッセージを受信することと、ここにおいて、前記１つまたは複数のＨＡＲＱフィードバックメッセージは、前記第１の持続時間のＴＴＩの間に受信される、
を備える方法。
【請求項２】
前記通信することは、
第１のＴＢを第１のＴＴＩの間におよび第２のＴＢを第２のＴＴＩの間に送信することと、ここにおいて、前記第１のＴＴＩおよび前記第２のＴＴＩは各々、前記第２の持続時間を有する、
前記ＨＡＲＱタイミングモードに少なくとも部分的に基づいて前記フィードバック時間期間を識別することと、ここにおいて、前記ＨＡＲＱタイミングモードは、第１のＨＡＲＱ応答時間と、前記第１のＨＡＲＱ応答時間より少ない第２のＨＡＲＱ応答時間とを備える、
をさらに備える、請求項１に記載の方法。
【請求項３】
前記第１のＴＴＩは、前記第１の持続時間を有する第１の時間期間の後期部分内にあり、前記第２のＴＴＩは、前記第１の持続時間を有する第２の時間期間の初期部分内にある、請求項２に記載の方法。
【請求項４】
前記１つまたは複数のＨＡＲＱフィードバックメッセージは、第１のＨＡＲＱフィードバックメッセージと、前記第１のＨＡＲＱフィードバックメッセージとは異なる第２のＨＡＲＱフィードバックメッセージとを備える、請求項２に記載の方法。
【請求項５】
前記第１のＨＡＲＱフィードバックメッセージの後半部分および前記第２のＨＡＲＱフィードバックメッセージの最初の部分は、
２つより多くのビットを搬送する能力がある物理アップリンク制御チャネル（ＰＵＣＣＨ）フォーマット、
前記第１のＨＡＲＱフィードバックメッセージの前記後半部分と前記第２のＨＡＲＱフィードバックメッセージの前記最初の部分との間でのビットの分割、
前記第１のＨＡＲＱフィードバックメッセージおよび前記第２のＨＡＲＱフィードバックメッセージの１つまたは複数のビットのジョイントコーディング、または、
オーソゴナルカバーコード（ＯＣＣ）に少なくとも部分的に基づいたビットと少なくとも１つのパリティビットとの組合せ、
あるいは、それらの任意の組合せ、
のうちの少なくとも１つを使用して多重化される、請求項４に記載の方法。
【請求項６】
基地局において、前記ＵＥの前記１つまたは複数の能力を示すインジケーションを受信すること、
をさらに備える、請求項１に記載の方法。
【請求項７】
基地局によって、ＨＡＲＱタイミングモードのセットを示すインジケーションを送信することと、
前記インジケーションに応答してＨＡＲＱタイミングモード要求を受信することと、ここにおいて、前記ＨＡＲＱタイミングモードは、前記ＨＡＲＱタイミングモード要求に少なくとも部分的に基づいて前記ＨＡＲＱタイミングモードのセットから選択される、
をさらに備える、請求項１に記載の方法。
【請求項８】
前記ＨＡＲＱタイミングモードに少なくとも部分的に基づいてアップリンク（ＵＬ）制御構成を識別することと、
前記ＵＬ制御構成を示すインジケーションを前記ＵＥに送信することと、
をさらに備える、請求項１に記載の方法。
【請求項９】
前記第１の持続時間のＴＴＩを使用するＵＬ送信のための第１の物理アップリンク制御チャネル（ＰＵＣＣＨ）リソースオフセットと、前記第２の持続時間のＴＴＩを使用するＵＬ送信のための第２のＰＵＣＣＨリソースオフセットとを識別すること、
をさらに備える、請求項１に記載の方法。
【請求項１０】
前記第２のＰＵＣＣＨリソースオフセットは、前記第１のＰＵＣＣＨリソースオフセットとデルタ値とに少なくとも部分的に基づいて識別される、請求項９に記載の方法。
【請求項１１】
前記第１のＰＵＣＣＨリソースオフセットまたは前記第２のＰＵＣＣＨリソースオフセットは、ＰＵＣＣＨフォーマットに少なくとも部分的に基づいて識別される、請求項９に記載の方法。
【請求項１２】
ＵＬ送信のための前記１つまたは複数のリソースセットは、ＰＵＣＣＨフォーマットのセットの各ＰＵＣＣＨフォーマットに関連付けられ、前記１つまたは複数のリソースセットは各々、異なる基地局またはレイヤ３構成に関連付けられる、請求項１１に記載の方法。
【請求項１３】
前記第１の持続時間のＴＴＩに関連付けられた第１のスケジューリングされたダウンリンク（ＤＬ）送信インジケータと、前記第２の持続時間のＴＴＩに関連付けられた第２のスケジューリングされたＤＬ送信インジケータとを使用すること、
をさらに備える、請求項１に記載の方法。
【請求項１４】
前記第１の持続時間は、１サブフレームの持続時間であり、前記第２の持続時間は、サブフレームの１スロットの持続時間である、請求項１に記載の方法。
【請求項１５】
ダウンリンク割当てインデックス（ＤＡＩ）を用いて前記第２の持続時間の送信のセットを使用すること、をさらに備える、請求項１に記載の方法。
【請求項１６】
第１の持続時間および前記第１の持続時間より少ない第２の持続時間の送信時間間隔（ＴＴＩ）をサポートするシステムにおけるワイヤレス通信のための装置であって、
前記第２の持続時間のＴＴＩを使用した通信に応答してハイブリッド自動再送要求（ＨＡＲＱ）フィードバックを提供するユーザ機器（ＵＥ）の1つまたは複数の能力に少なくとも部分的に基づいて、ＨＡＲＱタイミングモードを決定するための手段と、
前記ＨＡＲＱタイミングモードを使用して、フィードバック時間期間の間に、前記第２の持続時間のＴＴＩにおけるトランスポートブロック（ＴＢ）に関連付けられた１つまたは複数のＨＡＲＱフィードバックメッセージを受信するための手段と、ここにおいて、前記１つまたは複数のＨＡＲＱフィードバックメッセージは、前記第１の持続時間のＴＴＩの間に受信される、
を備える装置。
【請求項１７】
第１の持続時間および前記第１の持続時間より少ない第２の持続時間の送信時間間隔（ＴＴＩ）をサポートするシステムにおけるワイヤレス通信のための装置であって、
プロセッサと、
前記プロセッサと電子通信状態にあるメモリと、
前記メモリに記憶された命令と
を備え、前記命令は、前記プロセッサによって実行されると、
前記第２の持続時間のＴＴＩを使用した通信に応答してハイブリッド自動再送要求（ＨＡＲＱ）フィードバックを提供するユーザ機器（ＵＥ）の1つまたは複数の能力に少なくとも部分的に基づいて、ＨＡＲＱタイミングモードを決定することと、
前記ＨＡＲＱタイミングモードを使用して、フィードバック時間期間の間に、前記第２の持続時間のＴＴＩにおけるトランスポートブロック（ＴＢ）に関連付けられた１つまたは複数のＨＡＲＱフィードバックメッセージを受信することと、ここにおいて、前記１つまたは複数のＨＡＲＱフィードバックメッセージは、前記第１の持続時間のＴＴＩの間に受信される、
を前記装置に行わせる、装置。
【請求項１８】
前記装置に、前記ＨＡＲＱタイミングモードを使用して通信することを行わせる前記命令は、
第１のＴＢを第１のＴＴＩの間におよび第２のＴＢを第２のＴＴＩの間に送信することと、ここにおいて、前記第１のＴＴＩおよび前記第２のＴＴＩは各々、前記第２の持続時間を有する、
前記ＨＡＲＱタイミングモードに少なくとも部分的に基づいて前記フィードバック時間期間を識別することと、ここにおいて、前記ＨＡＲＱタイミングモードは、第１のＨＡＲＱ応答時間と、前記第１のＨＡＲＱ応答時間より少ない第２のＨＡＲＱ応答時間とを備える、
を行うようにさらに実行可能である、請求項１７に記載の装置。
【請求項１９】
前記第１のＴＴＩは、前記第１の持続時間を有する第１の時間期間の後期部分内にあり、前記第２のＴＴＩは、前記第１の持続時間を有する第２の時間期間の初期部分内にある、請求項１８に記載の装置。
【請求項２０】
前記１つまたは複数のＨＡＲＱフィードバックメッセージは、第１のＨＡＲＱフィードバックメッセージと、前記第１のＨＡＲＱフィードバックメッセージとは異なる第２のＨＡＲＱフィードバックメッセージとを備える、請求項１８に記載の装置。
【請求項２１】
前記第１のＨＡＲＱフィードバックメッセージの後半部分および前記第２のＨＡＲＱフィードバックメッセージの最初の部分は、
２つより多くのビットを搬送する能力がある物理アップリンク制御チャネル（ＰＵＣＣＨ）フォーマット、
前記第１のＨＡＲＱフィードバックメッセージの前記後半部分と前記第２のＨＡＲＱフィードバックメッセージの前記最初の部分との間でのビットの分割、
前記第１のＨＡＲＱフィードバックメッセージおよび前記第２のＨＡＲＱフィードバックメッセージの１つまたは複数のビットのジョイントコーディング、または、
オーソゴナルカバーコード（ＯＣＣ）に少なくとも部分的に基づいたビットと少なくとも１つのパリティビットとの組合せ、
あるいは、それらの任意の組合せ、
のうちの少なくとも１つを使用して多重化される、請求項２０に記載の装置。
【請求項２２】
前記命令は、
基地局において、前記ＵＥの前記１つまたは複数の能力を示すインジケーションを受信すること、
を行うように前記プロセッサによってさらに実行可能である、請求項１７に記載の装置。
【請求項２３】
前記命令は、
基地局によって、ＨＡＲＱタイミングモードのセットを示すインジケーションを送信することと、
前記インジケーションに応答してＨＡＲＱタイミングモード要求を受信することと、ここにおいて、前記ＨＡＲＱタイミングモードは、前記ＨＡＲＱタイミングモード要求に少なくとも部分的に基づいて前記ＨＡＲＱタイミングモードのセットから選択される、
を行うように前記プロセッサによってさらに実行可能である、請求項１７に記載の装置。
【請求項２４】
第１の持続時間および前記第１の持続時間より少ない第２の持続時間の送信時間間隔（ＴＴＩ）をサポートするシステムにおけるワイヤレス通信のためのコードを記憶した非一時的なコンピュータ読取可能な媒体であって、前記コードは、
前記第２の持続時間のＴＴＩを使用した通信に応答してハイブリッド自動再送要求（ＨＡＲＱ）フィードバックを提供するユーザ機器（ＵＥ）の1つまたは複数の能力に少なくとも部分的に基づいて、ＨＡＲＱタイミングモードを決定することと、
前記ＨＡＲＱタイミングモードを使用して、フィードバック時間期間の間に、前記第２の持続時間のＴＴＩにおけるトランスポートブロック（ＴＢ）に関連付けられた１つまたは複数のＨＡＲＱフィードバックメッセージを受信することと、ここにおいて、前記１つまたは複数のＨＡＲＱフィードバックメッセージは、前記第１の持続時間のＴＴＩの間に受信される、
を行うように実行可能な命令を備える、非一時的なコンピュータ読取可能な媒体。